(57)【特許請求の範囲】
【請求項１】
門柱と、門柱に水平回動自在に連結した伸縮扉と、地面に埋設したガイドレールとを備え、伸縮扉は、操作部の操作によりガイドレールに係脱自在なガイド部材を有し、ガイドレールは、門柱の根元付近から伸縮扉の伸長方向に向けて設けてあり、ガイド部材の離脱を制限する抜け止め部を有し、吊元側に抜け止め部を無くした部分を有し、伸縮扉が完全に収縮したときに、ガイド部材が抜け止め部を無くした部分でガイドレールに係合していることを特徴とする伸縮門扉。
【請求項２】
門柱と、門柱に水平回動自在に連結した伸縮扉と、地面に埋設したガイドレールとを備え、伸縮扉は、操作部の操作によりガイドレールに係脱自在なガイド部材を有し、ガイドレールは、伸長した伸縮扉の略全長にわたる長さを有し、門柱の根元付近から伸縮扉の伸長方向に向けて設けてあり、ガイド部材の離脱を制限する抜け止め部を有すると共に、吊元側に抜け止め部を無くした部分を有することを特徴とする伸縮門扉。
【請求項３】
ガイド部材は、伸縮扉の前後の格子にガイドされており、伸縮扉の見込方向略中央部にガイドレールと係合するガイドピンを有し、見込方向一方側の格子にガイド部材を昇降操作するための操作部を有することを特徴とする請求項１又は２記載の伸縮門扉。
【発明の詳細な説明】
【技術分野】
【０００１】
本発明は、伸縮門扉に関する。
【背景技術】
【０００２】
従来の伸縮門扉として、非特許文献１に示すように、地面にガイドレールを埋設し、伸縮扉の下部に設けたガイドピンをガイドレールに係合して、伸縮扉の直進性を良くしたものがある。このような伸縮門扉は、ガイドレールが人や車の通行の障害にならない利点があるが、ガイドピンが地面より低い位置まで突出する状態で伸縮扉に固定してあるため、収縮させた伸縮扉を門柱に対して水平回動させるいわゆる回転収納が行えず、全開時でも伸縮扉の収縮時の幅分だけ門柱間の間口が狭くなる不都合がある。
【先行技術文献】
【非特許文献】
【０００３】
【非特許文献１】三協立山アルミ株式会社発行のカタログ「エクステリア  総合カタログ」（カタログＮｏ．ＳＴＸ０５８０Ａ  Ｓ．１１．０２−１５００）、第１版、２００１１年２月、ｐ．９５６−９５８（フラットレールタイプ）
【発明の概要】
【発明が解決しようとする課題】
【０００４】
本発明は以上に述べた実情に鑑み、ガイドレールが人や車の通行の障害にならず、且つ収縮させた伸縮扉を回転収納できる伸縮門扉の提供を目的とする。
【課題を解決するための手段】
【０００５】
上記の課題を達成するために請求項１記載の発明による伸縮門扉は、門柱と、門柱に水平回動自在に連結した伸縮扉と、地面に埋設したガイドレールとを備え、伸縮扉は、操作部の操作によりガイドレールに係脱自在なガイド部材を有し、ガイドレールは、門柱の根元付近から伸縮扉の伸長方向に向けて設けてあり、ガイド部材の離脱を制限する抜け止め部を有し、吊元側に抜け止め部を無くした部分を有し、伸縮扉が完全に収縮したときに、ガイド部材が抜け止め部を無くした部分でガイドレールに係合していることを特徴とする。
【０００６】
請求項２記載の発明による伸縮門扉は、門柱と、門柱に水平回動自在に連結した伸縮扉と、地面に埋設したガイドレールとを備え、伸縮扉は、操作部の操作によりガイドレールに係脱自在なガイド部材を有し、ガイドレールは、伸長した伸縮扉の略全長にわたる長さを有し、門柱の根元付近から伸縮扉の伸長方向に向けて設けてあり、ガイド部材の離脱を制限する抜け止め部を有すると共に、吊元側に抜け止め部を無くした部分を有することを特徴とする。
【０００７】
請求項３記載の発明による伸縮門扉は、請求項１又は２記載の発明の構成に加え、ガイド部材は、伸縮扉の前後の格子にガイドされており、伸縮扉の見込方向略中央部にガイドレールと係合するガイドピンを有し、見込方向一方側の格子にガイド部材を昇降操作するための操作部を有することを特徴とする。
【発明の効果】
【０００８】
請求項１記載の発明による伸縮門扉は、ガイドレールが地面に埋設してあるため、ガイドレールが人や車の通行の障害になるのを防ぐことができ、ガイドレールは門柱の根元付近から伸縮扉の伸長方向に向けて設けてあり、ガイド部材の離脱を制限する抜け止め部を有しているので、伸縮扉を伸ばしたときに伸縮扉の浮き上がりや転倒を防止でき、しかもガイドレールの吊元側に抜け止め部を無くした部分を有するので、伸縮扉を収縮したときに操作部を操作してガイド部材をガイドレールから抜くことができ、これにより収縮した伸縮扉を水平回動させて邪魔にならない位置に移動できる。また、伸縮扉が完全に収縮したときに、ガイド部材がガイドレールに係合しているため、ガイド部材をガイドレールから抜かない限り、伸縮扉がいたずらに回転しないので使い勝手が大変良い。
【０００９】
請求項２記載の発明による伸縮門扉は、ガイドレールが地面に埋設してあるため、ガイドレールが人や車の通行の障害になるのを防ぐことができ、ガイドレールは門柱の根元付近から伸縮扉の伸長方向に向けて設けてあり、ガイド部材の離脱を制限する抜け止め部を有しているので、伸縮扉を伸ばしたときに伸縮扉の浮き上がりや転倒を防止でき、しかもガイドレールの吊元側に抜け止め部を無くした部分を有するので、伸縮扉を収縮したときに操作部を操作してガイド部材をガイドレールから抜くことができ、これにより収縮した伸縮扉を水平回動させて邪魔にならない位置に移動できる。また縮めたときにガイド部材をガイドレールから抜かない限り、伸縮扉がいたずらに回転しないので使い勝手が大変良い。さらに、ガイドレールが伸長した伸縮扉の略全長にわたって設けてあることで、ガイド部材をどの位置に設けてもガイドレールと係合し、伸縮扉がどの伸縮状態でもガイドレールに係合するので、伸縮扉が安定する。
【００１０】
請求項３記載の発明による伸縮門扉は、ガイド部材が伸縮扉の前後の格子にガイドされており、見込方向一方側の格子にガイド部材を昇降操作するための操作部を有しているので、見込方向一方側からガイド部材を容易に昇降操作できるため操作性が良く、またガイド部材にはガイドレールと係合するガイドピンが伸縮扉の見込方向略中央部に設けてあるため、伸縮扉の走行安定性が良い。
【図面の簡単な説明】
【００１１】
【図１】（ａ）は本発明の伸縮門扉の一実施形態を示す平面図であり、（ｂ）は同伸縮門扉の正面図である。
【図２】（ａ）は同伸縮門扉の伸縮扉を収縮した状態の平面図であり、（ｂ）は同正面図である。
【図３】図１のＸ方向矢視図である。
【図４】図３と同じ格子の側面図であって、伸縮扉を収縮しガイド部材をガイドレールから抜いた状態を示す。
【図５】図３と同じ格子の側面図であって、ガイド部材を昇降操作するときの状態を示す。
【図６】（ａ）は図３のＡ−Ａ断面図、（ｂ）は図３のＢ−Ｂ断面図である。
【図７】（ａ）は操作部の台座の裏面図であり、（ｂ）は同側面図である。
【図８】（ａ）は操作部のツマミの裏面図であり、（ｂ）は同側面図である。
【図９】（ａ）はガイドレールの平面図であり、（ｂ）はガイドレールの正面図である。
【図１０】（ａ）は図９のＣ−Ｃ断面図、（ｂ）は図９のＤ−Ｄ断面図、（ｃ）は図９のＥ−Ｅ断面図である。
【図１１】ガイド部材と操作部の他の実施形態を示す側面図であって、ガイド部材がガイドレールと係合した状態を示す。
【図１２】図１１のＹ方向矢視図である。
【図１３】図１１に示す実施形態において、操作部のツマミを操作してガイド部材をガイドレールから抜くときの状態を示す側面図である。
【図１４】（ａ）は図１１に示す実施形態の操作部に用いられるスリーブの正面図、（ｂ）は同スリーブの縦断面図である。
【発明を実施するための形態】
【００１２】
以下、本発明の実施の形態を図面に基づいて説明する。図１〜６は、本発明の伸縮門扉の一実施形態を示している。本伸縮門扉は、住宅の敷地と道路の境界に設けられるものであって、図１に示すように、地面Ｇに立設した戸先側門柱１ａ及び吊元側門柱１ｂと、門柱１ａ，１ｂ間の間口を開閉する伸縮扉２と、門柱１ａ，１ｂ間の全長に亘って地面Ｇに埋設したガイドレール３とを備える。
【００１３】
伸縮扉２は、図１に示すように、戸先側框８ａ及び吊元側框８ｂと、両框８ａ，８ｂ間に配置した複数の格子体９，９，…とをパンタグラフ状のリンク１０により連結し、伸縮自在に構成してある。戸先側框８ａの下部と、中間の格子体９の下部には自在キャスター１１が設けてあり、戸先側框８ａの右隣りの格子体９と自在キャスター１１を設けた中間の格子体９の右隣りの格子体９には、ガイドレール３に係合するガイド部材３９が設けてある。戸先側框８ａには伸縮扉２を開閉操作するための引き手１２と、戸先側門柱１ａに係脱する錠（図示省略）を設けてある。吊元側框８ｂは、ヒンジ１３により吊元側門柱１ｂに水平回動自在に連結してある。
【００１４】
ガイドレール３は、図９，１０に示すように、伸長した伸縮扉２と略同じ長さを有し、上面が地面Ｇと同一高さとなるように地面Ｇに埋設され、両端部が連結具１４を介して戸先側門柱１ａと吊元側門柱１ｂに固定してある。ガイドレール３は、メインレール３ａと吊元側端部レール３ｂとを連結金具１５により連結してあり、吊元側端部レール３ｂの長さは、図２に示すように、収縮させた伸縮扉２の幅よりも少し長くなっている。メインレール３ａは、図３と図１０（ａ）に示すように、ガイド部材３９に設けてあるガイドピン５が走行する溝１６の上部に内側に突出した抜け止め部６を有し、吊元側端部レール３ｂは、図１０（ｃ）に示すように、抜け止め部６を切除して無くしてある。メインレール３ａと吊元側端部レール３ｂとの繋ぎ部分には、図９に示すように、抜け止め部６がハの字形に形成されたガイド部品１７を設けてある。
【００１５】
ガイド部材３９は、図３に示すように、ガイドレール３と係合するガイドピン５と、格子体９の前後の格子７ａ，７ｂにガイドされたガイドバー２２，２２と、前後のガイドバー２２，２２の下端部に連結されガイドピン５が取付けられる取付具２０とで構成してある。ガイドピン５は、ネジ軸１８の下端部に垂直軸回りに回転自在に設けてあり、ネジ軸１８を回転させて突出長さを調整することで高さを調整できる。ガイドピン５は、下端につば状部１９を有し、メインレール３ａの範囲ではつば状部１９が抜け止め部６に引っ掛かり、ガイドレール３からのガイドピン５の離脱が制限される。ガイドピン５は、伸縮扉２の見込方向中央部に設けてある。
【００１６】
前後の格子７ａ，７ｂは、図６に示すように、アルミ合金の押出形材で内側が開口した略コ字形断面に形成され、その内部の奥側にレール部２１が形成してあり、レール部２１内にガイドバー２２が設けてある。ガイドバー２２は、金属製の板状の芯材２２ａと、芯材２２ａを被うように芯材２２ａに嵌合させた樹脂製のカバー２２ｂとからなり、樹脂製のカバー２２ｂが格子７ａ，７ｂのレール部２１に接触することで、スムーズに上下摺動するようになっている。
【００１７】
図３に示すように、ガイドバー２２の下端部にはガイドピン５を連結した取付具２０がネジ２３で固定してあり、敷地側の格子７ｂの敷地側の側面には、ガイドバー２２を上下に動かしてガイドピン５を昇降操作するための操作部４が設けてある。操作部４は、腰を屈めなくても容易に操作できるように、地面Ｇから１ｍぐらいの高さの位置に設けてある。操作部４は、格子７ｂに固定した台座２４と、台座２４に形成された上下の長孔２５に差込まれたツマミ２６と、ツマミ２６の先端に固定されガイドバー２２の上部に形成された孔２７に挿入したピン２８と、ツマミ２６を突出する方向に付勢するバネ２９を有している。台座２４は、図７に示すように、長孔２５の上部と下部の裏面側の２箇所に溝３０ａ，３０ｂが形成してあり、ツマミ２６は図８に示すように、台座２４の長孔２５に差し込まれる軸部３１の両側に突起３２を有しており、図３に示すように、ガイドピン５が下降してガイドレール３と係合した状態では、ツマミ２６の突起３２が台座２４の下側の溝３０ｂに係止して、ツマミ２６の移動が規制されている。道路側の格子７ａにも、敷地側の格子７ｂと同じように操作部４を取付けできる孔加工を施し、これを隠すためにカバー３３が取付けてあり、カバー３３と操作部４を付け替えることで、操作部４を道路側に設けることもできる。
【００１８】
本伸縮門扉は、人や車の出入りのため、図２に示すように伸縮扉２を収縮させた後、図５に示すように操作部４のツマミ２６を押込むと、ツマミ２６の突起３２が台座２４の溝３０ｂから抜けてツマミ２６を上下に動かせるようになり、ガイドレール３の吊元側端部レール３ｂは抜け止め部６を切除して無くしてあるため、ツマミ２６を上に動かすとガイドバー２２に引っ張られてガイドピン５が上昇し、ガイドピン５がガイドレール３から抜ける。ツマミ２６を台座２４の長孔２５の上限まで持ち上げてからツマミ２６から手を離すと、図４に示すように、ツマミ２６の突起３２が台座２４の上側の溝３０ａに係止して、ガイドバー２２とガイドピン５が上昇した位置で保持される。こうしてガイドピン５をガイドレール３から抜いた上で、図２（ａ）に二点鎖線で示すように伸縮扉２をヒンジ１３を介して水平回動させることで、門柱１ａ，１ｂ間の間口をすっきり開けることができる。
【００１９】
以上に述べたように本伸縮門扉は、ガイドレール３が地面Ｇから突出しないように地面Ｇに埋設してあるため、ガイドレール３が人や車の通行の障害にならず、ガイドレール３は伸長した伸縮扉２と略同じ長さを有し、門柱１ａ，１ｂ間の間口の全長に亘って設けてあり、メインレール３ａにガイドピン５の離脱を制限する抜け止め部６を有しているので、伸縮扉２をガイドレール３に沿ってまっすぐにスムーズに伸縮させられるばかりか、伸縮扉２を伸張して門扉を閉じたときや伸縮扉２を伸縮させて門扉を開閉する際に、伸縮扉２の浮き上がりや転倒を防止できる。しかもガイドレール３は、吊元側端部レール３ｂの抜け止め部６を切除して無くしてあるので、伸縮扉２を収縮したときに操作部４を操作してガイドピン５をガイドレール３から抜くことができ、これにより収縮した伸縮扉２を水平回動させて邪魔にならない位置に移動できる。また縮めたときにガイド部材３９をガイドレール３から抜かない限り、伸縮扉２がいたずらに回転しないので使い勝手が大変良い。またガイドピン５は、伸縮扉２の見込方向中央部に設けてあるので、伸縮扉２の走行安定性が良く、さらに前後の格子７ａ，７ｂのレール部２１に案内したガイドバー２２に連結してあるので、スムーズに昇降操作できると共に、伸縮扉２を伸縮させる際にガイドピン５がガイドレール３との摩擦等により傾いたりすることがない。さらに、敷地側の格子７ｂの操作しやすい高い位置に操作部４を設けたので、ガイドピン５をガイドレール３に係脱させる操作を敷地側から容易に行うことができる。また、ガイドピン５をガイドレール３に係脱させる操作は、伸縮扉２を収縮させたときに行うものであり、このときには図２に示すように操作部４同士が接近した状態になるため、操作性が良い。さらにガイド部材３９は、前後の格子７ａ，７ｂのレール部２１に案内したガイドバー２２の下端部にガイドピンの取付具２０を固定し、ガイドバー２２を操作部４のツマミ２６により上下動させるようにしたことで、見込方向一方側からの操作でも、ガイド部材３９を傾いたりがたついたりすることなくスムーズに昇降させられる。ガイド部材３９が単純な構造のため、コストが安い。ガイドレール３は、戸先側及び吊元側門柱１ａ，１ｂの根元に連結して設けたので、ガイドレール３を門柱１ａ，１ｂ間にまっすぐ設置するのが容易であり、ガイドレール３の設置がしやすい。
【００２０】
図１１〜１３は、ガイド部材３９と操作部４の他の実施形態を示している。本実施形態では、図１１に示すように、前後の格子７ａ，７ｂの下端部にコ字形の受け具３４，３４が取付けられ、ガイドピン５を連結した取付具２０が前後の受け具３４に見込み方向の軸３５，３６で連結してある。道路側の軸３５は、円形断面の軸となっており、敷地側の軸３６は六角形断面の軸になっており、敷地側の軸３６の末端部にツマミ２６が固定して設けてある。敷地側の軸３６の先端部には、外周を削って丸軸部３６ａが設けてあり、バネ２９により敷地側の軸３６が先端側に向けて付勢されている。敷地側の受け具３４に固定されたスリーブ３７には、図１４に示すように六角形の孔３８が形成されており、図１１に示すように、その六角形の孔３８に軸３６の六角形断面部３６ｂが挿通されることで、ガイドピン５がガイドレール３と係合した状態で軸３５，３６回りに回転しないように固定されている。
伸縮扉２を収縮させた後、敷地側から操作部４のツマミ２６を引っ張ると、図１３に示すように、軸３６の六角形断面部３６ｂがスリーブ３７の六角形の孔３８から抜けるためツマミ２６を回転できる状態になり、ツマミ２６を６０°回転させると、図１２に二点鎖線で示すように、ガイドピン５が軸３５，３６回りに回転してガイドレール３から抜ける。その後、ツマミ２６から手を離すと、軸３６がバネ２９により引っ張られて先端側に移動し、軸３６の六角形断面部３６ｂがスリーブ３７の六角形の孔３８に嵌合し、ガイドピン５が回転した位置で固定される。
【００２１】
本発明は以上に述べた実施形態に限定されない。ガイド部材３９の動かし方、操作部４の形態は、適宜変更することができる。操作部４は、道路側と敷地側の両方に設けることもできる。ガイドレール３は、伸縮扉２を伸長した状態で戸先側のガイドピン５よりも戸先側の部分（図１のＡの部分）が無いものであってもよい。またガイドレール３は、伸縮扉２を収縮した状態で戸先側と吊元側のガイドピン５，５の間の部分（図２のＢの部分）だけ抜け止め部６を無くしたものでもよい。またガイドレール３は、地面Ｇより若干飛び出た状態で地面Ｇに埋設したものでもよい。伸縮扉２自体の構成は任意である。本発明は、実施形態のような片開きの伸縮門扉以外に、両方の門柱１ａ，１ｂにそれぞれ伸縮扉２を水平回動自在に連結した両開きの伸縮門扉や、角地用の伸縮門扉のように、戸先側門柱を有しないものにも適用できる。
【符号の説明】
【００２２】
１ａ  戸先側門柱（門柱）
１ｂ  吊元側門柱（門柱）
２  伸縮扉
３  ガイドレール
３ａ  メインレール
３ｂ  吊元側端部レール
４  操作部
５  ガイドピン
６  抜け止め部
７ａ，７ｂ  格子
３９  ガイド部材
Ｇ  地面
【図１】
0005738670.tif 000002
【図２】
0005738670.tif 000003
【図３】
0005738670.tif 000004
【図４】
0005738670.tif 000005
【図５】
0005738670.tif 000006
【図６】
0005738670.tif 000007
【図７】
0005738670.tif 000008
【図８】
0005738670.tif 000009
【図９】
0005738670.tif 000010
【図１０】
0005738670.tif 000011
【図１１】
0005738670.tif 000012
【図１２】
0005738670.tif 000013
【図１３】
0005738670.tif 000014
【図１４】
0005738670.tif 000015